(57)【特許請求の範囲】
【請求項１】
機器類のソケットからプラグの抜けを防止するために使用されるプラグ抜け防止具であって、
機器類に固定される帯状体と、前記帯状体に取り付けられる固定片と、を備え、
前記帯状体には、プラグを挿通させるための挿通孔と、前記挿通孔に連続するスリットと、が形成され、
前記固定片は、前記スリットを塞ぐように前記帯状体に取り付けられることを特徴とする、プラグ抜け防止具。
【請求項２】
前記固定片には、プラグを挿通させるための開口部と、前記開口部の内側にプラグを導くためのスリットと、が形成されていることを特徴とする、請求項１記載のプラグ抜け防止具。
【請求項３】
前記帯状体及び前記固定片は、互いに貼り付け可能な面ファスナー部を備えて形成されていることを特徴とする、請求項１又は２記載のプラグ抜け防止具。
【発明の詳細な説明】
【技術分野】
【０００１】
この発明は、機器類のソケットからプラグの抜けを防止するために使用されるプラグ抜け防止具に関する。
【背景技術】
【０００２】
本出願人は、接続したプラグが誤って抜けてしまう問題の対策として、例えば特許文献１記載のプラグ保持板を提案した。この特許文献１記載のプラグ保持板は、プラグの根元に掛け止めさせるための切欠きを中央に形成し、前記切欠きの両側には帯状の結束具を差し込むための長孔を平行に形成するとともに、前記長孔の両端付近及び前記長孔の中央付近に紐状の結束具を差し込むための挿通孔を形成したものである。このプラグ保持板を使用すれば、プラグ保持板がプラグを保持した状態で機器類に固定されるため、プラグが抜け落ちることを有効に防止することができる。
【先行技術文献】
【特許文献】
【０００３】
【特許文献１】特開２０１２−２４８３５５号公報
【発明の概要】
【発明が解決しようとする課題】
【０００４】
しかしながら、上記した特許文献１記載のプラグ保持板を携帯電話などの小型機器に取り付けた場合、プラグ保持板が小型機器よりも大きく張り出してしまい、美観を損ねたり、取り回しの邪魔になったりする場合があった。なお、プラグ保持板をできるだけ小さくすることは可能ではあるが、孔の大きさや板の強度などを確保するためには小型化にも限界がある。
【０００５】
また、上記した従来の構造では、両側に張り出したプラグ保持板の内側にスペースができてしまうため、プラグの形状などによっては安定が得られない可能性があった。
【０００６】
そこで、本発明は、プラグにフィットして安定して固定することができ、しかも、小型の機器に対して使用した場合でも大きく突出することがないプラグ抜け防止具を提供することを課題とする。
【課題を解決するための手段】
【０００７】
本発明は、上記した課題を解決するためになされたものであり、以下を特徴とする。
【０００８】
請求項１記載の発明は、機器類のソケットからプラグの抜けを防止するために使用されるプラグ抜け防止具であって、機器類に固定される帯状体と、前記帯状体に取り付けられる固定片と、を備え、前記帯状体には、プラグを挿通させるための挿通孔と、前記挿通孔に連続するスリットと、が形成され、前記固定片は、前記スリットを塞ぐように前記帯状体に取り付けられることを特徴とする。
【０００９】
請求項２に記載の発明は、上記した請求項１に記載の発明の特徴点に加え、前記固定片には、プラグを挿通させるための開口部と、前記開口部の内側にプラグを導くためのスリットと、が形成されていることを特徴とする。
【００１０】
請求項３に記載の発明は、上記した請求項１又は２に記載の発明の特徴点に加え、前記帯状体及び前記固定片は、互いに貼り付け可能な面ファスナー部を備えて形成されていることを特徴とする。
【発明の効果】
【００１１】
請求項１に記載の発明は上記の通りであり、機器類に固定される帯状体と、前記帯状体に取り付けられる固定片と、を備え、前記帯状体には、プラグを挿通させるための挿通孔と、前記挿通孔に連続するスリットと、が形成され、前記固定片は、前記スリットを塞ぐように前記帯状体に取り付けられる。このような構成によれば、帯状体がプラグに沿って変形してプラグを固定するので、帯状体とプラグとの間に最低限の隙間しか生じず、プラグを安定して固定することができる。また、帯状体はプラグに沿った状態で固定されるので、小型の機器に対して使用した場合でも大きく突出することがない。
【００１２】
また、請求項２に記載の発明は上記の通りであり、前記固定片には、プラグを挿通させるための開口部と、前記開口部の内側にプラグを導くためのスリットと、が形成されている。このような構成によれば、帯状体の挿通孔に対してプラグを挿通した後に、スリットを利用して開口部にプラグを係合させ、固定片を帯状体に取り付けるだけでプラグ抜け防止具をプラグに取り付けることができる。すなわち、安全かつ容易にプラグ抜け防止具をプラグに取り付けることができ、作業性が良い。
【００１３】
また、請求項３に記載の発明は上記の通りであり、前記帯状体及び前記固定片は、互いに貼り付け可能な面ファスナー部を備えて形成されている。このような構成によれば、例えば接着剤などを使用しなくても固定片を帯状体に取り付けることができ、また、着脱も自在とすることができる。
【図面の簡単な説明】
【００１４】
【図１】プラグ抜け防止具の外観図であって、（ａ）帯状体及び固定片の平面図、（ｂ）帯状体に固定片を取り付けた状態の図、である。
【図２】プラグ抜け防止具の使用状態を示す説明図である。
【図３】変形例に係る固定片の平面図である。
【発明を実施するための形態】
【００１５】
本発明の実施形態について、図を参照しながら説明する。
【００１６】
本実施形態に係るプラグ抜け防止具１０は、機器類３０のソケットからプラグ３１の抜けを防止するために使用されるものであり、図１に示すように、機器類３０に固定される帯状体１１と、前記帯状体１１に取り付けられる固定片１２と、を備えている。
【００１７】
帯状体１１は、面ファスナーを帯状にカットして形成されており、表裏いずれかの面が面ファスナー部１１ｃとなっている。この帯状体１１の略中央には、プラグ３１の根元３１ａを挿通させるための挿通孔１１ａが貫通形成されている。この挿通孔１１ａの大きさはプラグ３１のサイズに応じて適宜変更可能であるが、少なくともプラグ３１の頭部３１ｃよりも小さく、プラグケーブル３１ｂよりも大きければよい。望ましくは、プラグ３１の根元３１ａ（特に、プラグ３１の頭部３１ｃとプラグケーブル３１ｂとの接続部においてテーパ状に形成された部分）とほぼ同径に形成することで、より安定してプラグ３１を固定することができる。
【００１８】
また、この挿通孔１１ａの両側には、直径方向に沿って切り込みが設けられており、これにより、挿通孔１１ａの両側に連続するスリット１１ｂが形成されている。本実施形態においては、このスリット１１ｂは帯状体１１の長手方向に延びるように設けられている。スリット１１ｂを帯状体１１の長手方向に設けることで、帯状体１１の幅が小さい場合でもスリット１１ｂを大きく設けることができる。このスリット１１ｂが設けられることにより挿通孔１１ａが拡開可能となっており、挿通孔１１ａよりも大きなプラグ３１の頭部３１ｃを通過させることができるようになっている。
【００１９】
固定片１２は、面ファスナーを短片状にカットして形成されており、表裏いずれかの面が面ファスナー部１２ｃとなっている。なお、固定片１２の面ファスナー部１２ｃと、帯状体１１の面ファスナー部１１ｃとは、互いに貼り付け可能となっている。例えば、固定片１２の面ファスナー部１２ｃがループ形状である場合には、帯状体１１の面ファスナー部１１ｃがフック形状となっており、固定片１２の面ファスナー部１２ｃがフック形状である場合には、帯状体１１の面ファスナー部１１ｃがループ形状となっている。ただし、固定片１２にはある程度の剛性が求められ、一般的にはループ形状の面ファスナーよりもフック形状の面ファスナーの方が剛性が高いため、固定片１２の面ファスナー部１２ｃをフック形状とすることが望ましい。
【００２０】
なお、フック形状とループ形状とを織り込んだ混在型の面ファスナーを使用することも可能である。帯状体１１の面ファスナー部１１ｃ及び固定片１２の面ファスナー部１２ｃの両方に、このような混在型の面ファスナーを使用した場合には、帯状体１１の面ファスナー部１１ｃと固定片１２の面ファスナー部１２ｃとで使用する面ファスナーの違いを意識する必要はない。
【００２１】
この固定片１２の略中央には、プラグ３１を挿通させるための開口部１２ａと、この開口部１２ａの内側にプラグ３１を導くためのスリット１１ｂと、が形成されている。開口部１２ａは、帯状体１１に取り付けたときに帯状体１１の挿通孔１１ａを完全に塞がないように露出させるためのものである。スリット１１ｂは、固定片１２の側縁部から開口部１２ａにまで延設されており、本実施形態においては開口部１２ａの幅Ｗと同じ幅で形成されている。このため、開口部１２ａとスリット１１ｂとは、外部に対してＵ字形に開口している。開口部１２ａの幅Ｗは、図１に示すように、挿通孔１１ａの直径Ｄよりもやや小さくなるように形成されている。このため、図１（ｂ）に示すように、帯状体１１のスリット１１ｂを塞ぐように固定片１２を帯状体１１に取り付けると、開口部１２ａの開口縁で挿通孔１１ａの一部が塞がれ、挿通孔１１ａが小さくなるようになっている。
【００２２】
このプラグ抜け防止具１０を使用する場合には、まず、帯状体１１の挿通孔１１ａにプラグ３１の頭部３１ｃを挿通する。このとき、スリット１１ｂを利用して挿通孔１１ａを拡開させることで、プラグ３１の頭部３１ｃを通過させる。
【００２３】
挿通孔１１ａにプラグ３１の頭部３１ｃを挿通したら、固定片１２のスリット１２ｂを通過させることでプラグ３１を開口部１２ａに係合させ、この状態で固定片１２の面ファスナー部１２ｃを帯状体１１の面ファスナー部１１ｃに固着させる。このとき、帯状体１１のスリット１１ｂを塞ぐように固定片１２を帯状体１１に取り付ける。これにより、挿通孔１１ａの拡開が防止されるので、プラグ３１の頭部３１ｃは帯状体１１の挿通孔１１ａから抜けないように固定される。
このようにプラグ抜け防止具１０をプラグ３１に取り付けたら、図２に示すように、プラグ抜け防止具１０を機器類３０に固定する。
【００２４】
プラグ抜け防止具１０を機器類３０に固定する方法としては様々な方法が考えられるが、例えば図２（ａ）に示すように、機器類３０に予め固定部３２を接着しておき、この固定部３２に帯状体１１の両端部を固定するようにしてもよい。固定部３２は、例えば接着テープで機器類３０に接着できるような面ファスナーを使用することができ、この面ファスナーを帯状体１１の面ファスナー部１１ｃに固着させるようにすれば、任意の位置でプラグ３１を固定することができる。
【００２５】
また、プラグ抜け防止具１０を機器類３０に固定する別の方法としては、図２（ｂ）に示すような方法も考えられる。この例では、帯状体１１の面ファスナー部１１ｃに、フックとループを織り込んだ混在型の面ファスナーを使用しており、機器類３０に帯状体１１を巻きつけて、帯状体１１の両端部を互いに固着させるようにしている。
【００２６】
このようにプラグ抜け防止具１０を機器類３０に固定することで、プラグ３１の形状に沿って帯状体１１が被さってプラグ３１を固定するので、プラグ３１と帯状体１１との間に隙間ができにくく、安定してプラグ３１を固定することができる。プラグ３１を固定した後に帯状体１１が長過ぎる場合には、帯状体１１を適宜カットすればよい。
【００２７】
なお、本実施形態に係るプラグ抜け防止具１０でプラグ３１を固定する場合には、図２に示すように、帯状体１１が外側（言い換えると固定片１２が内側）にくるようにすることが望ましい。このように固定することで、固定片１２が帯状体１１とプラグ３１とに挟まれて固定されるので、固定片１２が剥がれ落ちる心配がない。固定片１２が剥がれ落ちなければ、スリット１１ｂが開くこともないので、帯状体１１からプラグ３１が抜けることもない。
【００２８】
以上説明したように、本実施形態によれば、機器類３０に固定される帯状体１１と、前記帯状体１１に取り付けられる固定片１２と、を備え、前記帯状体１１には、プラグ３１を挿通させるための挿通孔１１ａと、前記挿通孔１１ａに連続するスリット１１ｂと、が形成され、前記固定片１２は、前記スリット１１ｂを塞ぐように前記帯状体１１に取り付けられる。このような構成によれば、帯状体１１がプラグ３１に沿って変形してプラグ３１を固定するので、帯状体１１とプラグ３１との間に最低限の隙間しか生じず、プラグ３１を安定して固定することができる。また、帯状体１１はプラグ３１に沿った状態で固定されるので、小型の機器に対して使用した場合でも大きく突出することがない。
【００２９】
また、前記固定片１２には、プラグ３１を挿通させるための開口部１２ａと、前記開口部１２ａの内側にプラグ３１を導くためのスリット１２ｂと、が形成されている。このような構成によれば、帯状体１１の挿通孔１１ａに対してプラグ３１を挿通した後に、スリット１２ｂを利用して開口部１２ａにプラグ３１に係合させ、固定片１２を帯状体１１に取り付けるだけで、プラグ抜け防止具１０をプラグ３１に取り付けることができる。すなわち、安全かつ容易にプラグ抜け防止具１０をプラグ３１に取り付けることができ、作業性が良い。
【００３０】
また、前記帯状体１１及び前記固定片１２は、互いに貼り付け可能な面ファスナー部１１ｃ、１２ｃを備えて形成されている。このような構成によれば、例えば接着剤などを使用しなくても固定片１２を帯状体１１に取り付けることができ、また、着脱も自在とすることができる。
【００３１】
また、金属板などを使用しなくてもプラグ３１を固定することができるので、小学校などの教育現場、医療現場などの磁場の発生する場所、厨房などの高温多湿環境、船舶などの塩害が予想される環境であっても、安心して安全に使用することができる。
【００３２】
なお、上記した実施形態においては、スリット１１ｂの幅を開口部１２ａの幅Ｗと同じで形成した固定片１２について説明したが、本発明の実施形態としてはこれに限らない。固定片１２のスリット１１ｂは、帯状体１１のスリット１１ｂと重ならないように配置されていればよく、例えば、図３（ａ）に示すように、幅を持たない切り込みによってスリット１１ｂを形成してもよい。また、図３（ｂ）に示すように、斜めに切り込みを入れることでスリット１１ｂを形成してもよい。また、図３（ｃ）に示すように、幅のあるスリット１１ｂを斜めに形成してもよい。また、図３（ｄ）に示すように、スリット１１ｂによって固定片１２を分断し、分断された断片を別々に帯状体１１に取り付けるようにしてもよい。
【符号の説明】
【００３３】
１０  プラグ抜け防止具
１１  帯状体
１１ａ  挿通孔
１１ｂ  スリット
１１ｃ  面ファスナー部
１２  固定片
１２ａ  開口部
１２ｂ  スリット
１２ｃ  面ファスナー部
３０  機器類
３１  プラグ
３１ａ  根元
３１ｂ  プラグケーブル
３１ｃ  頭部
３２  固定部
Ｄ  挿通孔の直径
Ｗ  開口部の幅
【図１】
0006373139.tif 000002
【図２】
0006373139.tif 000003
【図３】
0006373139.tif 000004